(57)【要約】【課題】作業者の負担が小さく、消防ホースをしっかりと小径に巻き取ることができ、狭い火災現場においても、消防ホースを効率よく巻きとることができる消防ホースの巻取具を提供する。【解決手段】消防ホースＨの連結金具ｃを係止した状態で、扁平状態に折り畳まれた消防ホースのホース本体ｂを挿通可能なスリット１０ａを有する巻取軸１０と、この巻取軸１０の両端部にそれぞれ一端側が連結され、相互に逆方向に延びる左右一対のアーム２０と、各アーム２０の他端にそれぞれ連結された、巻取軸１０に平行で、相互に離反する方向に延びる左右一対のハンドル軸３０と、各ハンドル軸３０にそれぞれ回転可能に支持された左右一対のハンドル４０とを備えており、巻取軸１０部分において、同一構成要素からなる同一形状の一対のユニット体１ａ、１ａに分割できるようになっている。【選択図】        図１
2015027341.tif 000002
【特許請求の範囲】
【請求項１】
扁平状態に折り畳み可能なホース本体の両端部に連結金具が接続された消防ホースを巻き取るための消防ホースの巻取具であって、
消防ホースの連結金具を係止した状態で、扁平状態に折り畳まれた消防ホースのホース本体を挿通可能なスリットを有する巻取軸と、
前記巻取軸の両端部にそれぞれ一端側が連結され、相互に逆方向に延びる左右一対のアームと、
左右一対の前記アームの他端にそれぞれ連結された、前記巻取軸に平行で、相互に離反する方向に延びる左右一対のハンドル軸と、
左右一対の前記ハンドル軸にそれぞれ回転可能に支持された左右一対のハンドルと
を備え、
前記巻取軸は、軸方向に分割可能に構成されていることを特徴とする消防ホースの巻取具。
【請求項２】
前記巻取軸は、左右一対の前記アームにそれぞれ取り付けられた軸部及び相手方の軸部に嵌合可能な嵌合部を備え、
一方の前記アームに取り付けられた前記軸部を他方の前記アームに取り付けられた前記嵌合部に嵌合させると共に、他方の前記アームに取り付けられた前記軸部を一方の前記アームに取り付けられた前記嵌合部に嵌合させることによって、前記軸部間にスリットが形成されるようになっている請求項１に記載の消防ホースの巻取具。
【請求項３】
前記巻き取り軸は、一方の軸部が他方の軸部より長くなっている請求項２に記載の消防ホースの巻取具。
【発明の詳細な説明】
【技術分野】
【０００１】
この発明は、消火活動の終了後に火災現場で簡単かつ迅速に消防ホースを巻き取ることができる消防ホースの巻取具に関する。
【背景技術】
【０００２】
火災現場においては、消火活動の終了後、消防ホースを撤収する際、接続金具を介して相互に接続された消防ホースを個別に分離した後、内部に残留している水を排出しながら、地面を転がすようにして手作業でそれぞれの消防ホースを一重に巻き取っていくのが一般的である。
【０００３】
しかしながら、地面を転がすようにして消防ホースを手作業で巻き取っていく場合は、常に中腰で巻取作業を行わなければならないので、作業者の負担が大きく、しかも、しっかりと巻き取ることができないので、消防ホースの巻取径が大きくなって持ち運びにくいと共に、持ち運ぶ際に巻き崩れが発生しやすいといった問題がある。
【０００４】
こういった問題を解決するために、例えば、特許文献１〜３において、種々の手押し車タイプのホース巻取装置が提案されている。この種のホース巻取装置は、いずれも、立った状態で消防ホースの巻取作業を行うことができるので、作業者の負担が小さく、しかも、消防ホースを係止した巻取軸を回転させることによって巻き取っていくので、消防ホースをしっかりと小径に巻き取ることができる。
【先行技術文献】
【特許文献】
【０００５】
【特許文献１】特開平０６−１７１８３５号公報
【特許文献２】実用新案登録第３１２５７００号公報
【特許文献３】国際公開２０１１／０３０５４５号パンフレット
【発明の概要】
【発明が解決しようとする課題】
【０００６】
しかしながら、上述したようなホース巻取装置は、いずれも大型であるため、十分な移動スペースを確保することができない狭い火災現場においては、消防ホースの巻取作業を効率よく行うことができないという問題があると共に、消防車にホース巻取装置の積載スペースを確保することができない場合もあり、結局のところ、この種のホース巻取装置はほとんど使用されておらず、作業員が手作業で巻き取っているのが現状である。
【０００７】
そこで、この発明の課題は、作業者の負担が小さく、消防ホースをしっかりと小径に巻き取ることができ、狭い火災現場においても、消防ホースを効率よく巻きとることができる消防ホースの巻取具を提供することにある。
【課題を解決するための手段】
【０００８】
上記の課題を解決するため、請求項１に係る発明は、扁平状態に折り畳み可能なホース本体の両端部に連結金具が接続された消防ホースを巻き取るための消防ホースの巻取具であって、消防ホースの連結金具を係止した状態で、扁平状態に折り畳まれた消防ホースのホース本体を挿通可能なスリットを有する巻取軸と、前記巻取軸の両端部にそれぞれ一端側が連結され、相互に逆方向に延びる左右一対のアームと、左右一対の前記アームの他端にそれぞれ連結された、前記巻取軸に平行で、相互に離反する方向に延びる左右一対のハンドル軸と、左右一対の前記ハンドル軸にそれぞれ回転可能に支持された左右一対のハンドルとを備え、前記巻取軸は、軸方向に分割可能に構成されていることを特徴とする消防ホースの巻取具を提供するものである。
【０００９】
また、請求項２に係る発明は、請求項１に係る発明の消防ホースの巻取具において、前記巻取軸は、左右一対の前記アームにそれぞれ取り付けられた軸部及び相手方の軸部に嵌合可能な嵌合部を備え、一方の前記アームに取り付けられた前記軸部を他方の前記アームに取り付けられた前記嵌合部に嵌合させると共に、他方の前記アームに取り付けられた前記軸部を一方の前記アームに取り付けられた前記嵌合部に嵌合させることによって、前記軸部間にスリットが形成されるようになっていることを特徴としている。
【００１０】
また、請求項３に係る発明は、請求項２に係る発明の消防ホースの巻取具において、前記巻き取り軸は、一方の軸部が他方の軸部より長くなっていることを特徴としている。
【発明の効果】
【００１１】
以上のように、請求項１に係る発明の消防ホースの巻取具は、スリットを有する巻取軸が軸方向に分割可能に構成されているので、巻取軸を左右（軸方向）に分割した状態で、スリットとなる部分に扁平状態に折り畳まれた消防ホースのホース本体を配置し、左右に分割された巻取軸を再度連結することで、消防ホースの連結金具を係止した状態で、扁平状態に折り畳まれた消防ホースのホース本体をスリットに挿通することができ、この状態で、巻取軸を中心として左右のハンドルを握って回転操作すると、巻取軸が回転し、消防ホースのホース本体が巻取軸に巻き取られていく。
【００１２】
従って、消防ホースを手作業で巻き取るといっても、作業者は中腰になる必要はなく、地面を転がすようにして中腰で消防ホースを巻き取っていく場合に比べて、作業者の負担を小さくすることができると共に、巻取軸を回転させながら巻き取っていくので、消防ホースをしっかりと小径に巻き取ることができ、巻き取った消防ホースも持ち運び易く、持ち運ぶ際に巻き崩れが発生し難い。
【００１３】
また、この消防ホースの巻取具は、基本的に巻取軸、アーム、ハンドル軸及びハンドルといった小型部品によって構成されており、しかも、巻取軸で二分割することができるので、非常にコンパクトであり、十分なスペースを確保することができない狭い火災現場においても、消防ホースを効率よく巻きとることができると共に、持ち運びにも便利であり、大型のホース巻取装置のように、消防車に積載スペースを確保することができないという問題も発生しない。従って、使用可能な消防ホースの本数分の巻取具を用意することも可能となり、これによって、個別に分離した複数の消防ホースを同時に巻き取ることができるので、作業効率が向上する。
【００１４】
また、請求項２に係る発明の消防ホースの巻取具は、分割した各ユニットが同一部品によって同一形状に形成されているので、複数の巻取具を使用する場合も各ユニットの組み合わせを考慮する必要がなく、取り扱いやすいという利点がある。
【００１５】
また、請求項３に係る発明の消防ホースの巻取具は、長い方の軸部を相手方の嵌合部に嵌合させた後、短い方の軸部を相手方の嵌合部に嵌合させるといった具合に、２本の軸部の嵌合部への嵌合作業を個別に行うことができるので、２本の軸部をそれぞれの嵌合部に同時に嵌合させる場合に比べて軸部を嵌合部に嵌合させ易く、分割した各ユニットの連結作業性が良いという利点がある。
【図面の簡単な説明】
【００１６】
【図１】（ａ）はこの発明に係る消防ホースの巻取具の一実施形態を示す正面図、（ｂ）は同上の巻取具を示す側面図である。
【図２】（ａ）は同上の巻取具を構成している分割ユニットを示す正面図、（ｂ）は同上の分割ユニットを示す左側面図、（ｃ）は同上の分割ユニットを示す右側面図である。
【図３】同上の巻取具の使用方法を説明するための説明図である。
【図４】同上の巻取具の変形例を示す正面図である。
【発明を実施するための形態】
【００１７】
以下、実施の形態について図面を参照して説明する。図１（ａ）、（ｂ）は、扁平状態に折り畳み可能なホース本体ｂの両端部に連結金具ｃが接続された消防ホースＨを巻き取る際に使用する消防ホースの巻取具１を示している。この巻取具１は、消防ホースＨの連結金具ｃを係止した状態で、扁平状態に折り畳まれた消防ホースのホース本体ｂを挿通可能なスリット１０ａを有する巻取軸１０と、この巻取軸１０の両端部にそれぞれ一端側が連結され、相互に逆方向に延びる左右一対のアーム２０と、各アーム２０の他端にそれぞれ連結された、巻取軸１０に平行で、相互に離反する方向に延びる左右一対のハンドル軸３０と、各ハンドル軸３０にそれぞれ回転可能に支持された左右一対のハンドル４０とを備えており、巻取軸１０部分において、同一構成要素からなる同一形状の一対のユニット体１ａ、１ａに分割できるようになっている。
【００１８】
各ユニット体１ａは、図２（ａ）〜（ｃ）に示すように、巻取軸１０の構成要素である、巻取軸１０の軸方向に延びる軸部１１、相手方のユニット体１ａの軸部１１が嵌合する嵌合溝１２ａが形成された支持片１２及びこれらの軸部１１及び支持片１２が固着された筒状体１３と、上述したアーム２０、ハンドル軸３０及びハンドル４０をそれぞれ備えており、支持片１２は、軸部１１と直交する方向に張り出していると共に、アーム２０は筒状体１３に固着されている。
【００１９】
一方のユニット体１ａの軸部１１を他方のユニット体１ａの支持片１２の嵌合溝１２ａに嵌合させると共に、他方のユニット体１ａの軸部１１を一方のユニット体１ａの支持片１２の嵌合溝１２ａに嵌合させることによって、双方のユニット体１ａ、１ａが連結され、両軸部１１、１１間にスリット１０ａが形成された巻取軸１０を有する巻取具１が出来上がるようになっている。
【００２０】
以上のように構成された巻取具１を用いて消防ホースＨを巻き取るには、まず、図３に示すように、巻取軸１０を左右（軸方向）に分割した状態、即ち、一対のユニット体１ａを分離した状態で、巻取軸１０のスリット１０ａとなる部分に扁平状態に折り畳まれた消防ホースＨのホース本体ｂを配置し、上述したように、一対のユニット体１ａ、１ａを再度連結することで、図１（ａ）、（ｂ）に示すように、消防ホースＨの連結金具ｃを巻取軸１０に係止した状態で、扁平状態に折り畳まれた消防ホースＨのホース本体ｂをスリット１０ａに挿通する。
【００２１】
そして、この状態で、左右のハンドル４０を握って、巻取軸１０を中心として、図１（ｂ）に矢印で示す方向に回転操作すると、巻取軸１０が回転し、消防ホースＨのホース本体ｂが巻取軸１０に巻き取られていく。消防ホースＨの巻取作業が終了すると、一対のユニット体１ａを相互に分離することによって、ロール状に巻き取られた消防ホースＨから取り外せばよい。
【００２２】
以上のように、この巻取具１は消防ホースＨを手作業で巻き取るといっても、作業者は中腰になる必要がないので、地面を転がすようにして中腰で消防ホースを巻き取っていく場合に比べて、作業者の負担を小さくすることができる。しかも、この巻取具１は巻取軸１０を回転させながら消防ホースＨを巻き取っていくので、地面を転がすようにして消防ホースを巻き取っていく場合に比べて、消防ホースＨをしっかりと小径に巻き取ることができ、ロール状に巻き取った消防ホースＨも持ち運び易く、持ち運ぶ際に巻き崩れが発生し難い。
【００２３】
また、この消防ホースの巻取具１は、基本的に巻取軸１０、アーム２０、ハンドル軸３０及びハンドル４０といった小型部品によって構成されており、しかも、巻取軸１０部分で一対のユニット体１ａ、１ａに二分割することができるので、非常にコンパクトであり、十分なスペースを確保することができない狭い火災現場においても、消防ホースＨを効率よく巻きとることができると共に、持ち運びにも便利であり、従来から提案されている大型のホース巻取装置のように、消防車に積載スペースを確保することができないという問題も発生しない。従って、使用可能な消防ホースＨの本数分の巻取具１を火災現場に持って行くことも可能となり、これによって、個別に分離した複数の消防ホースＨを同時に巻き取ることができるので、作業効率が向上する。
【００２４】
また、この巻取具１は、分割した各ユニット体１ａ、１ａが同一部品によって同一形状に形成されているので、上述したように、火災現場で複数の巻取具１を使用する場合も各ユニット体１ａの組み合わせを考慮する必要がなく、取り扱いやすいという利点がある。
【００２５】
なお、上述した実施形態では、筒状体１３に軸部１１、支持片１２及びアーム２０をそれぞれ固着しているが、これに限定されるものではなく、１本の棒状部材を屈曲させることによって軸部１１及びアーム２０を形成し、その屈曲部に支持片１２を固着するようにしてもよい。
【００２６】
また、上述した実施形態では、支持片１２に形成した嵌合溝１２ａに軸部１１を嵌合させるようにしているが、これに限定されるものではなく、支持片１２に代えて、軸部１１が嵌入可能な環状部材を採用することも可能である。
【００２７】
また、上述した実施形態では、各ユニット体１ａ、１ａを同一部品によって同一形状に形成しているが、これに限定されるものではなく、例えば、図４に示す巻取具１Ａのように、一方のユニット体１ａの軸部１１ａを他方のユニット体１ａの軸部１１より長くしておいてもよい。このように、一方のユニット体１ａの軸部１１ａを他方のユニット体１ａの軸部１１より長くしておくと、長い軸部１１ａを先に支持片１２の嵌合溝１２ａに嵌合させた後、短い軸部１１を支持片１２の嵌合溝１２ａに嵌合させるといった具合に、それぞれの軸部１１ａ、１１を対応する支持片１２の嵌合溝１２ａに個別に嵌合させることができるので、双方の軸部１１、１１が同一長さであるため、双方の軸部１１、１１を対応する支持片１２の嵌合溝１２ａに同時に嵌合させなければならない場合に比べて、各ユニット体１ａ、１ａの連結作業性が向上するという効果が得られる。
【００２８】
また、上述した実施形態では、巻取軸１０の両端部で二分割するようにしているが、これに限定されるものではなく、巻取軸１０の一方の端部で分割したり、軸方法の中央部で二分割することも可能であり、軸方法の中央部で二分割する場合は、分割された軸部同士を相互に嵌合させることによって連結すればよい。
【００２９】
また、上述した実施形態では、消防ホースＨを、その端部から一重巻きしていく場合について説明したが、これに限定されるものではなく、上述した巻取具１、１Ａを用いて、消防ホースＨを、その中間部から二重巻きしていくことも可能であり、必要に応じて、巻取方法を選択すればよい。
【産業上の利用可能性】
【００３０】
本発明は、消防ホースを巻き取る際に利用することができる。
【符号の説明】
【００３１】
１、１Ａ  消防ホースの巻取具
１ａ  ユニット体
１０  巻取軸
１０ａ  スリット
１１、１１ａ  軸部
１２  支持片（嵌合部）
１２ａ  嵌合溝
１３  筒状体
２０  アーム
３０  ハンドル軸
４０  ハンドル
ｂ  ホース本体
ｃ  連結金具
Ｈ  消防ホース
【図１】
2015027341.tif 000003
【図２】
2015027341.tif 000004
【図３】
2015027341.tif 000005
【図４】
2015027341.tif 000006